(57)【要約】【課題】ガイドレールを滑るスライド体が引っ掛からないようにする。【解決手段】回転軸１４の延長線が角度６０〜１２０度で交差する一対のローラ１１を、スライドさせる方向に２つ連ねた、ガイドレール用のスライド体１０を用いる。【選択図】図１
2018035895.tif 000002
【特許請求の範囲】
【請求項１】
回転軸の延長線が角度６０〜１２０度で交差する一対のローラを、スライドさせる方向に２つ連ねた、ガイドレール用スライド体。
【請求項２】
６０度以上１２０度以下の中心角を形成して繋がった２面の同形である矩形域を持つ固定板の、それぞれの上記矩形域に、上記ローラを回転可能に取り付ける回転軸が、それぞれの対になる上記ローラについて互いに向かい合う配置で取り付けてあり、
それぞれの上記ローラの外周は、上記固定板の縁よりもはみ出しており、
上記角度の二等分面上であって、上記矩形域上における上記回転軸の取り付け位置である四点までの距離が等しい位置に、ガイドレールによってスライドさせるべき対象物との接続部を設けてある
請求項１に記載のガイドレール用スライド体。
【請求項３】
建物の外壁面上に、抜け止め付き開口溝を相対させて取り付けた高さ方向へ延びる１対のガイドレールと、
上記ガイドレールの上記開口溝に挿入され、昇降装置に繋がるロープによって昇降させられる複数のガイドバーと、
上記ガイドバーに取り付けられ、上記昇降装置によって格納又は展開される幕本体とを有する懸垂幕装置であって、
上記ガイドバーの、上記開口溝へ挿入される両方の端部に、請求項２に記載のガイドレール用スライド体を上記接続部を介して取り付けた懸垂幕装置。
【発明の詳細な説明】
【技術分野】
【０００１】
この発明はガイドレールに沿って動くスライド体と、それを用いた懸垂幕装置に関する。
【背景技術】
【０００２】
建築物の外壁に広告を掲げるために、布製の横断幕や懸垂幕が一般的に用いられている。このうち、懸垂幕は十分な高さを持つ建物にあっては記載できるスペースを十分確保できるとともに、複数個並べて設置することが容易であり、有用性が高い広告媒体となっている。
【０００３】
懸垂幕は縦に長く垂れ下げられた帯状の幕本体に告知すべき事象が記載されている。この幕本体を広げたり格納したりするために、昇降装置が取り付けられている。昇降装置は懸垂幕の上方又は下方に取り付けられており、ロープで幕本体の上端又は下端に取り付けられた端部ガイドバーに繋がっている。上記ロープが幕本体の上端部ガイドバーに繋がっている場合は、格納時には幕本体を下端で折り畳んだり巻き取ったりし、展開時にはそこから上方へ引き上げる。上記ロープが幕本体の下端部ガイドバーに繋がっている場合は、格納時には幕本体を屋上などに設置された格納部に引っ張り上げ、展開時にはそこから下方へ引き下ろしていく。
【０００４】
図１０（ａ）（ｂ）に、昇降装置である巻き上げ機５３を下方に設置した場合の形態例を示す。上端部に取り付けた滑車５４ａ，５４ｂ，５４ｃに引っ掛けたロープ５２ａ、５２ｂを巻き上げ可能としている。ロープ５２ａ，５２ｂの他端は懸垂幕本体５１の上端側ガイドバー５６に取り付けた固定具５７ａ、５７ｂに連結されている。図１０（ａ）中回転する矢印方向にロープ５２を巻くと、滑車５４ａ，５４ｂ，５４ｃを介して上端側ガイドバー５６が引っ張り上げられる。
【０００５】
上記の上端側ガイドバー５６の両方のバー端部５８ａ，５８ｂは懸垂幕本体５１の左右両端から突き出て、懸垂幕装置５０全体を固定する箇所を囲むように取り付けられた、左右のガイドレール６０（６０ａ，６０ｂ）に挿入されている。その部分の拡大図を図１１に示す。ガイドレール６０ａ，６０ｂはどちらも上下方向に延び、懸垂幕本体５１側が開口し、開口溝６１の前後には幅を狭めた抜け止め部６２、６２が設けてある。ガイドレール６０ａ，６０ｂ自体は、壁面Ｗに対して、ボルト６５で留められたＬ字板６４などを介して固定されている。壁面Ｗとガイドレール６０と上端側ガイドバー５６のバー端部５８ａとの固定の仕方の例を図１２に示す。この例ではガイドレール６０に溶接されて壁側へ伸ばされた補助板６６と、壁面に固定されたＬ字板６４とがボルト６７で固定されて、ガイドレール６０を壁面へと固定している。
【０００６】
懸垂幕本体５１が格納、展開される際には、上端側ガイドバー５６の両方のバー端部５８ａ，５８ｂがガイドレール６０ａ，６０ｂに沿って動くことによって、懸垂幕本体５１をずれなく上下させることができる。その際にガイドレール６０ａ，６０ｂに沿ってスライドするために、両方のバー端部５８ａ，５８ｂには、バーの軸線上に先端部を滑り軸受とする一つのローラ５９ａ，５９ｂがそれぞれ設けてある。このローラ５９ａ，５９ｂの径は上端側ガイドバー５６の両方のバー端部５８ａ，５８ｂより大きく、抜け止め部６２，６２に引っ掛かる抜け止めとしての作用も発揮する。図１１に示す拡大図の破線にて抜け止めとして作用する状況を示す。
【０００７】
また、上記幕本体の上下端だけでなく、複数の中間点にも端部ガイドバーと同様に左右両端にローラを取り付けた中部ガイドバー５６ｃが取り付けられていることが多い。それぞれの中部ガイドバー５６ｃの左右両端には、上端側ガイドバー５６と同様に、バーと同軸上に回転可能なローラ５９が取り付けられ、ガイドレール６０の抜け止め部６２によって脱落を防ぎながら、上下する。また、中間点でもガイドレールによって動きを制限させることで、むやみにはためいて翻ったり、破れるほどの力がかかることを防いでいる。
【０００８】
このような懸垂幕のガイドバーの両端にローラを取り付けることは、例えば特許文献１に記載されている。
【先行技術文献】
【特許文献】
【０００９】
【特許文献１】特開２００３−５６８２号公報
【発明の概要】
【発明が解決しようとする課題】
【００１０】
しかしながら、上記のガイドバーと同軸上に設けられたローラは、ガイドレールから外れないように動かすという点では有効だが、図１１の破線表示のようにローラがガイドレールに引っかかってしまうと、ローラがそこで固定されてしまい、そこで昇降作業が止まってしまうことがあった。
【００１１】
この問題は懸垂幕に限らず、同様の構造のガイドレールに組み込むローラで起こりうる問題である。特に手作業で向きを変え難い箇所に設けられたガイドレールでは、一度引っかかると戻す際に多大な苦労を強いられる。主に高さ１０メートルを超える建築物の壁面に設置することが多い懸垂幕ではこの問題が無視できなかった。
【００１２】
そこでこの発明は、ガイドバーがガイドレールから外れないようにしながら、なおかつガイドレールに引っかかりにくくして、ガイドバーがガイドレール上をスムーズに移動できるようにすることを目的とする。ひいては、懸垂幕の昇降作業の際に、引っ掛かりを防ぐことを目的とする。
【課題を解決するための手段】
【００１３】
この発明は、回転軸の延長線が角度６０〜１２０度で交差する一対のローラを、スライドさせる方向に２つ連ねた、ガイドレール用スライド体を用いることで上記の課題を解決したのである。
【００１４】
この発明にかかるガイドレール用スライド体にローラを配置する具体的構造としては次のような構成が挙げられる。まず、６０度以上１２０度以下の中心角を形成して繋がった２面の同形である矩形域を持つ固定板の、それぞれの上記矩形域に、上記ローラを回転可能に取り付ける回転軸が、それぞれの対になる上記ローラについて互いに向かい合う配置で取り付けてある。それぞれの上記ローラの外周は、上記固定板の縁よりもはみ出している。上記角度の二等分面上であって、上記矩形域上における上記回転軸の取り付け位置である四点までの距離が等しい位置に、ガイドレールによってスライドさせるべき対象物との接続部を設けてある。
【００１５】
ガイドレール用スライド体の接続部を、懸垂幕を張るガイドバーに接続させて、ガイドレールへのガイドをさせる。
すなわち、この発明にかかる懸垂幕装置としては、
建物の外壁面上に、抜け止め付き開口溝を相対させて取り付けた高さ方向へ延びる１対のガイドレールと、
上記ガイドレールの上記開口溝に挿入され、昇降装置に繋がるロープによって昇降させられる複数のガイドバーと、
上記ガイドバーに取り付けられ、上記昇降装置によって格納又は展開される幕本体とを有する懸垂幕装置において、
上記ガイドバーの、上記開口溝に挿入される端部に、上記ガイドレール用スライド体を取り付けることで、上記ガイドバーが上記ガイドレールに引っ掛かりにくく、スライドしやすい懸垂幕装置となる。
【発明の効果】
【００１６】
この発明にかかるガイドレール用スライド体を、開口溝に沿って抜け止めを有するガイドレールに挿入すると、上記接続部に繋がる上記ガイドバーなどの位置が多少傾いても、４つのローラのいずれかがガイドレールの内部で好適に接して回動しやすく、スムーズにスライドさせることができる。これを導入した懸垂幕装置は、格納及び展開の際にガイドバーが引っ掛かりにくくなり、建築物の外壁における困難な修理作業の必要性を大きく低下させることができる。
【図面の簡単な説明】
【００１７】
【図１】この発明にかかるスライド体と接続されたガイドバーとの斜視図
【図２】図１の平面図
【図３】図１の正面図
【図４】図１の右側面図
【図５】この発明にかかるスライド体を挿入したガイドレールの取付部分を含むスライド方向に対する垂直断面図
【図６】図５のスライド方向に沿った断面図
【図７】図５の開口溝に相対した右側面図
【図８】この発明にかかる懸垂幕装置の全体図
【図９】スライド体を有するガイドバーの先端部分の拡大図
【図１０】（ａ）従来の懸垂幕装置の全体図、（ｂ）（ａ）の断面図
【図１１】図１０のガイドバーが引っ掛かる際の拡大図
【図１２】図１０のローラ部分の拡大図
【発明を実施するための形態】
【００１８】
以下、この発明について実施形態を挙げて詳細に説明する。まず、ガイドレール用スライド体の実施形態を図１〜４を用いて説明する。
【００１９】
図１はスライド体１０と、スライド体１０の接続部１７に取り付けられたガイドバー４６（後述）との斜視図である。スライド体１０は、ガイドレール３０のスライド体格納部３３（後述）に格納されて、スムーズにスライドするため、４個のローラ１１（１１ａ〜１１ｄ）を有する。それぞれのローラ１１には、これを回転可能な状態で固定板１２に取り付けるための回転軸１４が中心を貫いている。
【００２０】
図２は図１のスライド体１０を上から見た平面図である。それぞれの回転軸１４のうち、左右の対になるローラ１１ａと１１ｂとの対と、ローラ１１ｃと１１ｄとの対では、それぞれの回転軸の延長線が６０度以上１２０度以下の角度で交差すると好ましい（図２中の角度θ）。この範囲から外れると、スライド体１０が傾いたときにローラ１１がガイドレール３０のスライド体格納部３３内で好適な角度で当たりにくくなるおそれがある。
【００２１】
図３は図１のスライド体１０の斜め左側から見た正面図である。上記の回転軸１４は、中心角の角度θが６０度以上１２０度以下となるように繋がった、２面の同形である矩形域１３、１３を持つ固定板１２に取り付けられている。一枚の金属板である固定板１２を角度θで折り曲げて中心角を形成してもよいし、二枚の金属板のそれぞれを矩形域１３、１３となるように中心角の角度θとなる配置で溶接して固定板１２を形成してもよい。この角度は上記範囲でなくても実用可能であるが、上記範囲であるとローラ１１がガイドレール３０の内部で好適に壁面に接しやすく好ましい。
【００２２】
それぞれの回転軸１４の配置は、それぞれの矩形域１３，１３に、それぞれの対になるローラ（１１ａと１１ｂ、１１ｃと１１ｄ）が互いに斜めに向かい合う配置で取り付けてある。なお、ローラ同士は接触しないことが望ましい。図３に示すように、それぞれのローラ１１の外周は、固定板１２の中心角と反対側の縁１５よりも（図３においては右に）はみ出している。これにより、ローラ１１はガイドレール３０内で抜け止め部３２（後述）に対して好適なスライド効果を発揮できる。
【００２３】
それぞれの回転軸１４（１４ａ〜１４ｄ）は上記中心角の外角側に設けた外殻固定板２１にも固定されている。この外殻固定板２１は、固定板１２の棟方向両端をカバーする底面のように溶接される両底固定部２２、２２と、回転軸１４の外側端部を固定する外側固定部２３，２３と、これらの間を繋ぐ棟部２６とからなる、棟の広い屋根型の板である。矩形域１３（固定板１２）と外側固定部２３との間にローラ１１がある程度の遊びを有して取り付けられている。ローラ１１を取り付ける回転軸１４は、図のように外側に頭部のあるボルトを用いてよく、固定板１２側はナット１６で固定しておくとよい。さらに、ナット１６はボルト（回転軸１４）に溶接しておいてもよい。
【００２４】
一方で、ローラ１１は図２における上下方向に、外殻固定板２１の縁よりも突き出ている。これにより、ガイドレール３０に格納されたときに適切にスライド体１０をスライドさせることができる（後述する図５の状況）。
【００２５】
図４は図１のスライド体１０の斜め右側から見た側面図である。上記中心角の仮想的な二等分面（図４における中心線Ｈ）上であって、矩形域１３上における回転軸１４の取り付け位置である四点までの距離が等しい位置（接続部中心１８）をカバーするように、ガイドレール３０によってスライドさせるべき対象物との接続部１７を設けてある。図の実施形態では固定板１２の縁１５、１５間を繋ぐ板としているが、配置が同じであれば別の接合形態でもよい。スライド体１０におけるローラ１１及び回転軸１４の配置は、この接続部１７の接続部中心１８を回転中心とした２回回転対称でもある。また、接続部中心１８を通る二等分面Ｈと、この二等分面Ｈに垂直で接続部中心１８を通る仮想平面とに対して、鏡面対称でもある。４つのローラ１１をそれぞれの回転軸１４が斜めになるように矩形に配置することでローラ１１がガイドレール３０に当たりやすくなるが、さらに接続部中心１８に対して対称性の高い配置とすることで、よりスムーズに動かしやすくなる。
【００２６】
スライド体１０の構成のうちローラ１１は樹脂製であると滑りやすく好ましいが、耐久性の点から金属製のものを用いてもよい。また、スライド体１０のそれ以外のパーツは錆びにくいステンレスなどの金属製であるとよい。
【００２７】
このガイドレール用のスライド体１０は、ガイドレール３０内をスライドさせることで、接続部１７（望ましくは接続部中心１８）に接続された物体を、ガイドレール３０に沿ってスムーズにスライドさせることができる。ガイドレール３０にスライド体１０を挿入した際の形態を図５〜７とともに説明する。
【００２８】
図５はガイドレール３０のスライド方向に対する垂直断面図と、そこに導入されるスライド体１０、及びそれに繋がる懸垂幕用のガイドバー４６である。図中Ｗは後述する実施形態にかかる懸垂幕を取り付ける建物の壁面を指す。
【００２９】
ガイドレール３０は、スライド方向に沿った開口溝３１を有している。接続されるもの（ここではガイドバー４６）がこの開口溝３１に沿ってスライドすることとなる。開口溝３１の内部の、スライド体１０が格納されるスライド体格納部３３は、開口溝３１よりも幅が広がっており、幅が狭くなっている開口溝３１の両側は抜け止め部３２となってスライド体１０が途中で外れないようになっている。すなわち、開口溝３１の幅はスライド体１０のローラ１１ａ，１１ｂ（又は１１ｃ，１１ｄ）間の間隔よりも小さい。
【００３０】
図６はガイドレール３０のスライド方向に沿った断面図である。懸垂幕装置においては上下方向の断面図に対応する。ここでは懸垂幕装置の向かって左側に設けたガイドレール３０ａに導入している際の図を示す。ガイドバー４６が上下にスライドし、ローラ１１が基本的には抜け止め部３２に当たって適度に回転することでスライドする。
【００３１】
図７はガイドレール３０の開口溝３１に相対した図である。スライド体１０については接続部１７に接続されたガイドバー４６を切断した仮想図である。接続部中心１８に中心を合わせてガイドバー４６が接続されているため、スライド体１０が上下左右どの方向に傾いたとしても、開口溝３１から抜けずに、いずれかのローラ１１ａ〜１１ｄが好適にスライド体格納部３３内で当たることで、図中上下にスライドさせることができる。
【００３２】
このガイドレール３０自体は、図５及び図７に示すように、何らかの形で壁面Ｗに固定されている。この実施形態では、壁面Ｗにボルト３５で固定したＬ字板３４が取り付けられ、このＬ字板３４に、ガイドレール３０に対して溶接された補助板３６が、ボルト３７で留められている。
【００３３】
図８はスライド体１０をガイドレール３０に組み込んだ懸垂幕装置４０の正面図である。懸垂幕装置４０は、縦に長い帯状である懸垂幕本体４１に記載された内容を、建築物の壁面Ｗ上に掲示することができる装置である。この発明にかかる懸垂幕装置４０では、スライド体１０の作用によって、懸垂幕本体４１の格納及び展開をスムーズに行うことができる。ガイドレール３０ａ，３０ｂは懸垂幕装置４０の左右に平行に取り付けられている。ガイドレール３０ａ，３０ｂの向きは、開口溝３１が互いに向き合うようになっている。
【００３４】
懸垂幕本体４１は、上端側が水平に渡した上端側ガイドバー４６ａに固定され、下端側が水平に渡した下端側ガイドバー４６ｂに固定される。固定する形態としては、例えばガイドバー４６（４６ａ）の側面に溶接されたリング状の固定具４７と、懸垂幕本体４１に空けた固定孔４５とを固定してしまうことが挙げられるが、特に手法は限定されない。
【００３５】
また、途中の少なくとも一箇所、出来れば複数の箇所が、水平に渡したガイドバー４６ｃに固定されている。上端側ガイドバー４６ａと下端側ガイドバー４６ｂのどちらかが、昇降装置によって上下させられることで、格納と展開が可能になる。ガイドバー４６ｃはその動きに従って上下することになる。
【００３６】
図８では昇降装置である巻き上げ機４３を下方に設置した例を示す。下端側ガイドバー４６ｂが固定され、上端側ガイドバー４６ａが可動する。なお、この発明にかかる懸垂幕装置は昇降装置の位置によって特に限定されるものではなく、図示しないが、昇降装置を例えば建築物の屋上などの上方に設置してもよい。図の例では、懸垂幕装置４０の上端部に取り付けた滑車４４ａ，４４ｂ，４４ｃに引っ掛けたロープ４２ａ，４２ｂを巻くことで、上端側ガイドバー４６ａに取り付けた固定具４７ａ，４７ｂが引き上げられ、上端側ガイドバー４６ａが引き上げられる。これにより下方に畳んだり巻かれたりして格納されていた懸垂幕本体４１が展開される。逆に巻き上げ機４３でロープ４２ａ，４２ｂをほどくと、懸垂幕本体４１は重力に従って下方へ畳まれる。
【００３７】
この上下移動の際に、上端側ガイドバー４６ａとガイドバー４６ｃとが上下移動するとき、ガイドレール３０に従って上下することになる。それぞれのガイドバー４６ａ，４６ｃの両方のバー端部４８ａ，４８ｂには、それぞれスライド体１０が取り付けてある。取り付ける際には、接続部中心１８がガイドバー４６ａ，４６ｃの軸中心に合うように取り付ける。
【００３８】
図９は、ガイドバー４６（上端側ガイドバー４６ａ、下端側ガイドバー４６ｂ、ガイドバー４６ｃ）が移動する際に、水平から大きくずれた際のスライド体１０付近の状況を示す。このような場合でも、ローラ１１のうちの一つ（図ではローラ１１ｃ）以上がスライド体格納部３３内の壁面に容易に接することができる。そして、４つのローラ１１が独立しているため、一つの大きなローラである場合と違って回転が遮られることがない。このため、ガイドバー４６が傾いてもそこで上下移動が引っ掛かることなくスライドを続けることができる。これにより、懸垂幕本体４１の格納や展開の際にひっかかって、建築物の壁面にて手作業で修理しなければならないという事態に陥る可能性を大きく抑制することができる。
【００３９】
また、ガイドレール３０の抜け止め部３２によってスライド体１０が抜けなくなるため、懸垂幕本体４１の四隅や各所をガイドレール３０上に固定することができる。これにより、懸垂幕本体４１の内容が、大きく風によって翻って見えなくなるということがなくなる。
【符号の説明】
【００４０】
１０  スライド体
１１、１１ａ，１１ｂ，１１ｃ，１１ｄ  ローラ
１２  固定板
１３  矩形域
１４，１４ａ，１４ｂ，１４ｃ，１４ｄ  回転軸
１５  縁
１６  ナット
１７  接続部
１８  接続部中心
２１  外殻固定板
２２  両底固定部
２３  外側固定部
２４  ボルト
２６  棟部
３０，３０ａ、３０ｂ，６０，６０ａ，６０ｂ  ガイドレール
３１、６１  開口溝
３２、６２  抜け止め部
３３  スライド体格納部
３４、６４  Ｌ字板
３５、３７、６５，６７  ボルト
３６、６６  補助板
４０、５０  懸垂幕装置
４１、５１  懸垂幕本体
４２ａ，４２ｂ、５２，５２ａ，５２ｂ  ロープ
４３、５３  巻き上げ機
４４ａ，４４ｂ，４４ｃ，５４ａ，５４ｂ，５４ｃ  滑車
４５  固定孔
４６，４６ｃ  ガイドバー
４６ａ、５６  上端側ガイドバー
４６ｂ  下端側ガイドバー
４７，４７ａ，４７ｂ，４７ｃ，５７，５７ａ，５７ｂ  固定具
４８ａ，４８ｂ，５８ａ，５８ｂ  バー端部
５６ｃ  中部ガイドバー
５９，５９ａ，５９ｂ  ローラ
Ｈ  二等分面
Ｗ  壁面
【図１】
2018035895.tif 000003
【図２】
2018035895.tif 000004
【図３】
2018035895.tif 000005
【図４】
2018035895.tif 000006
【図５】
2018035895.tif 000007
【図６】
2018035895.tif 000008
【図７】
2018035895.tif 000009
【図８】
2018035895.tif 000010
【図９】
2018035895.tif 000011
【図１０】
2018035895.tif 000012
【図１１】
2018035895.tif 000013
【図１２】
2018035895.tif 000014